(57)【要約】【課題】  低圧から高圧まで開口面積の大きな弁口を開口できる排気弁を提供する。【解決手段】  本体１と底蓋２と弁座部材９からなるケーシングで入口４と弁室３と出口１１を形成する。弁室３と出口１１を連通する上下同一軸上の上弁口１２及び下弁口１３を弁座部材９に設ける。上弁口１２の開口面積を下弁口１３の開口面積よりも少し小さく形成する。下弁口１３を開閉する下弁体２１を下弁口１２の下方の弁室３内に配置し、上弁口１２を開閉する上弁体１５を下弁体２１に連結して上弁口１２と下弁口１３の間の出口１１側に配置する。下弁体２１の下面に一体に案内棒２２を形成し、案内棒２２の下端にフロート１４を連結する。フロート１４の浮上降下により下弁体２１で下弁口１３を開閉すると共に上弁体１５で上弁口１２を開閉する。【選択図】      図１
2006316940.tif 000002
【特許請求の範囲】
【請求項１】
ケーシングで内部に弁室を形成し、弁室の下部に入口を上部に出口を設け、弁室の上部に弁室と出口を連通する上下同一軸上の上弁口及び下弁口を設け、上弁口の開口面積を下弁口の開口面積よりも少し小さく形成し、上弁口を開閉する上弁体を上弁口と下弁口の間の出口側に配置し、下弁口を開閉する下弁体を上弁体に連結して下弁口の下方の弁室内に配置し、下弁体の下方の弁室内にフロートを下弁体に連結して配置し、フロートの浮上降下により下弁体で下弁口を開閉すると共に上弁体で上弁口を開閉することを特徴とする排気弁。
【発明の詳細な説明】
【技術分野】
【０００１】
本発明は、冷水や温水等の水配管に取り付けて、水配管内に空気が溜まったときに開弁して空気を排出すると共に、水配管系の圧力が低下して真空状態となったときに開弁して外部空気を導入することにより真空状態を破壊する排気弁に関する。
【背景技術】
【０００２】
従来の排気弁は、ケーシングで内部に弁室を形成し、弁室の下部に入口を上部に出口に通じる弁口を設け、弁口を外表面で直接開閉する球形のフロートを弁室内に配置したものであり、入口から弁室に流入する水により弁室の液面が上がるとフロートが浮上して弁口を閉じることにより水の漏出を防止し、入口から弁室に流入する空気により弁室の液面が下がるとフロートが降下して弁口を開くことにより空気を出口に排出し、水配管系の圧力が低下して真空状態になるとフロートが降下して弁口を開くことにより外部空気を水配管系に導入して真空状態を破壊する。
【０００３】
上記従来の排気弁においては、排出あるいは導入できる空気量は弁口の開口面積によって決まり、弁口開口面積と弁口前後の圧力差によって作動するために必要なフロートの浮力が決められるのであるが、低圧から高圧まで同じフロートを用いると、低圧では大きな弁口開口面積が得られ、高圧では小さな弁口開口面積とならざるを得ないという問題点があった。
【特許文献１】特開平２−２７１１７０号公報
【発明の開示】
【発明が解決しようとする課題】
【０００４】
解決しようとする課題は、低圧から高圧まで開口面積の大きな弁口を開口できる排気弁を提供することである。
【課題を解決するための手段】
【０００５】
本発明は、ケーシングで内部に弁室を形成し、弁室の下部に入口を上部に出口を設け、弁室の上部に弁室と出口を連通する上下同一軸上の上弁口及び下弁口を設け、上弁口の開口面積を下弁口の開口面積よりも少し小さく形成し、上弁口を開閉する上弁体を上弁口と下弁口の間の出口側に配置し、下弁口を開閉する下弁体を上弁体に連結して下弁口の下方の弁室内に配置し、下弁体の下方の弁室内にフロートを下弁体に連結して配置し、フロートの浮上降下により下弁体で下弁口を開閉すると共に上弁体で上弁口を開閉することを特徴とする。
【発明の効果】
【０００６】
本発明は、下弁体と上弁体に作用する閉弁力を小さくすることができるので、上弁口と下弁口とから成る開口面積の大きな弁口を低圧から高圧まで開口できるという優れた効果を生じる。
【発明を実施するための最良の形態】
【０００７】
本発明の排気弁は、弁室の上部に弁室と出口を連通する上下同一軸上の上弁口及び下弁口を設け、上弁口の開口面積を下弁口の開口面積よりも少し小さく形成し、上弁口を開閉する上弁体を上弁口と下弁口の間の出口側に配置し、下弁口を開閉する下弁体を上弁体に連結して下弁口の下方の弁室内に配置し、下弁体の下方の弁室内にフロートを下弁体に連結して配置し、フロートの浮上降下により下弁体で下弁口を開閉すると共に上弁体で上弁口を開閉するものである。そのため、弁室の流体圧力が下弁体には上向き閉弁方向に上弁体には下向き開弁方向に作用し、出口側の流体圧力が下弁体には下向き開弁方向に上弁体には上向き閉弁方向に作用する。そのため、下弁体と弁体に作用する閉弁力を小さくすることができ、上弁口と下弁口とから成る開口面積の大きな弁口を低圧から高圧まで開口できる。
【実施例１】
【０００８】
上記の技術的手段の具体例を示す実施例を説明する（図１参照）。本体１に底蓋２と弁座部材９を夫々ボルト等の締結手段（図示せず）で固着し、内部に弁室３を有するケーシングを形成する。弁室３の下部に連通する入口４を底蓋２に設ける。弁座部材９は本体１の上部側面に開けた弁座部材口８に固着する。弁座部材９にその内部に形成した流出通路１０を通して連通する出口１１を形成する。弁座部材９の上壁に上弁口１２を開け、下壁に下弁口１３を開ける。弁室３の上部は上弁口１２と下弁口１３から流出通路１０を通して出口１１に連通する。上弁口１２と下弁口１３は上下に同一軸上に形成する。上弁口１２の開口面積は下弁口１３の開口面積よりも少し小さく形成する。
【０００９】
下弁口１３の下方の弁室３内に下弁口１３を下方から開閉する下弁体２１を配置し、上弁口１２と下弁口１３の間の流出通路１０内に上弁口１２を下方から開閉する上弁体１５を配置し、下弁体２１の下方の弁室３内に中空球形のフロート１４を配置する。フロート１４の上面に形成した上部突起に下弁体２１の下面に一体に形成した案内棒２２の下端をねじ結合してフロート１４と下弁体２１を連結する。上弁体１５の上面に一体に上案内棒１６を形成し、下面に一体に上案内棒１６と同一軸上に下案内棒１７を形成する。案内棒２２は弁座部材９に固着した支持部材２３で上下方向に摺動案内し、上案内棒１６は弁座部材９に固着した上支持部材１８で上下方向に摺動案内し、下案内棒１７は弁座部材９に固着した下支持部材１９で上下方向に案内する。フロート１４は底蓋２と弁座部材９の間に固着した多数の連通孔を有する支持筒２０で上下方向に摺動案内する。下弁体２１の上面に形成した上部突起に上弁体１５の下面に一体に形成した下案内棒１７の下端をねじ結合して下弁体２１と上弁体１５を連結する。案内棒２２と上案内棒１６と下案内棒１７の軸心はフロート１４の球心を通る。下弁体２１が下弁口１３に着座した位置において、上弁体１５が上弁口１２に着座する。
【００１０】
図示の状態は、入口４から弁室３に水が流入し、フロート１４が浮上して下弁体２１が下弁口１３に着座すると共に、フロート１４の浮上に伴って上弁体１５が上弁口１２に着座した閉弁状態を示している。入口４から弁室３に流入する空気により弁室３の液面が下がると、液面低下に伴ってフロート１４が降下して下弁体２１が下弁口１３から離座すると共に、フロート１４の降下に伴って上弁体１５が上弁口１２から離座し、上弁口１２と下弁口１３を開けて弁室３の空気を流出通路１０から出口１１に排出する。空気の排出により弁室３の液面が上がると、液面上昇に伴ってフロート１４が浮上して下弁体２１が下弁口１３に着座すると共に、フロート１４の浮上に伴って上弁体１５が上弁口１２に着座した閉弁状態に戻る。
【００１１】
水配管系の圧力が低下して真空状態になるとフロート１４が降下して下弁体２１が下弁口１３から離座すると共に、フロート１４の降下に伴って上弁体１５が上弁口１２から離座し、上弁口１２と下弁口１３を開けて外部空気を水配管系に導入して真空状態を破壊する。弁室３の流体圧力が下弁体２１には上向き閉弁方向に上弁体１５には下向き開弁方向に作用し、出口１１側の流体圧力が下弁体２１には下向き開弁方向に上弁体１５には上向き閉弁方向に作用するので、下弁体２１と上弁体１５に作用する閉弁力を小さくすることができ、上弁口１２と下弁口１３とから成る開口面積の大きな弁口を低圧から高圧まで開口できる。
【図面の簡単な説明】
【００１２】
【図１】本発明の排気弁の断面図。
【符号の説明】
【００１３】
１  本体
２  底蓋
３  弁室
４  入口
９  弁座部材
１１  出口
１２  上弁口
１３  下弁口
１４  フロート
１５  上弁体
２１  下弁体
【図１】
2006316940.tif 000003